(57)【要約】【課題】パケットを交換するためのネットワーク装置およびインターフェース装置を提供すること。【解決手段】ネットワーク結合１２〜１４を介してインターフェース装置２〜４から、ソースアドレスと宛先アドレスとコードとを含む第１パケットおよび第２パケットを受信するネットワーク装置１は、コードの検出に応答して、パケットを処理するための異なるプロセス１０１ａ〜１０３ａ、１０１ｂ〜１０３ｂを選択する検出器ユニット１０９を備え、該コードはインターフェース装置２〜４と端末装置５〜１０の間の結合１５〜２０を定める。ネットワーク装置１は、異なる端末装置５、６を使用している異なる加入者を区別し、異なる端末装置を介して送出された異なるサービスと、同じネットワーク結合１２を使用している全ての者とを区別する。異なるプロセスは、異なるルーティングまたは非認証および認証プロセスまたは非暗号プロセスおよび暗号プロセスを含む。【選択図】図２
2007060656.tif 000002
【特許請求の範囲】
【請求項１】
ネットワーク結合（１２〜１４）を介してインターフェース装置（２〜４）から第１パケットおよび第２パケットを受信するためのネットワーク装置（１）であり、第１パケットが第１ソースアドレスと第１宛先アドレスと第１コードとを含み、第２パケットが第２ソースアドレスと第２宛先アドレスと第２コードとを含み、第１コードおよび第２コードがそれぞれ異なるコードであり、インターフェース装置（２〜４）が、第１コードによって定められた第１端末結合（１５、１７、１９）を介して第１端末装置（５、７、９）に結合され、第２コードによって定められた第２端末結合（１６、１８、２０）を介して第２端末装置（６、８、１０）に結合される、ネットワーク装置（１）であって、ネットワーク装置（１）が、第１コードおよび第２コードを検出し、第１コードの検出に応答して、第１パケットを処理するための第１プロセス（１０１ａ、１０２ａ、１０３ａ）を選択し、第２コードの検出に応答して、第２パケットを処理するための第２プロセス（１０１ｂ、１０２ｂ、１０３ｂ）を選択するための検出器ユニット（１０９）を含み、第１プロセスおよび第２プロセス（１０１ａ〜１０３ａ、１０１ｂ〜１０３ｂ）がそれぞれ異なるプロセスであることを特徴とする、ネットワーク装置（１）。
【請求項２】
ネットワーク結合（１２〜１４）が予め定められた結合を含み、第１プロセス（１０２ａ）が非認証プロセスまたは第１認証プロセスを含み、第２プロセス（１０２ｂ）が第１認証プロセスと異なる第２認証プロセスを含むことを特徴とする、請求項１に記載のネットワーク装置（１）。
【請求項３】
第１プロセス（１０３ａ）が非暗号プロセスまたは第１暗号プロセスを含み、第２プロセス（１０３ｂ）が第１暗号プロセスと異なる第２暗号プロセスを含むことを特徴とする、請求項１または２に記載のネットワーク装置（１）。
【請求項４】
第１パケットおよび第２パケットがインターネットプロトコルパケットであり、ソースアドレスがインターネットプロトコルソースアドレスであり、宛先アドレスがインターネットプロトコル宛先アドレスであり、コードがポート番号であることを特徴とする、請求項１、２または３に記載のネットワーク装置（１）。
【請求項５】
ネットワーク装置（１）が、第１パケットおよび第２パケットを受信するためのパケット受信器ユニット（１１２）と、インターフェース装置（２〜４）からアップストリーム情報を受信するための情報受信器ユニット（１１０）とを含み、該アップストリーム情報が端末装置（５〜１０）および／または端末結合（１５〜２０）および／またはコードおよび／または検出および／またはプロセス（１０１〜１０３）を定めることを特徴とする、請求項１、２、３または４に記載のネットワーク装置（１）。
【請求項６】
ネットワーク装置（１）が、ダウンストリーム情報をインターフェース装置（２〜４）に送信するための情報送信器ユニット（１１１）を含み、該ダウンストリーム情報が端末装置（５〜１０）および／または端末結合（１５〜２０）および／またはコードおよび／または検出および／またはプロセス（１０１〜１０３）を定めることを特徴とする、請求項１、２、３、４または５に記載のネットワーク装置（１）。
【請求項７】
ネットワーク結合（１２〜１４）を介してネットワーク装置（１）に第１パケットおよび第２パケットを送信するためのインターフェース装置（２〜４）であり、第１パケットが第１ソースアドレスと第１宛先アドレスと第１コードを含み、第２パケットが第２ソースアドレスと第２宛先アドレスと第２コードを含み、第１コードおよび第２コードがそれぞれ異なるコードであり、インターフェース装置（２〜４）が第１コードによって定められた第１端末結合（１５、１７、１９）を介して第１端末装置（５、７、９）に結合され、第２コードによって定められた第２端末結合（１６、１８、２０）を介して第２端末装置（６、８、１０）に結合される、インターフェース装置であって、ネットワーク装置（１）が、第１コードおよび第２コードを検出し、第１コードの検出に応答して、第１パケットを処理するための第１プロセス（１０１ａ、１０２ａ、１０３ａ）を選択し、第２コードの検出に応答して、第２パケットを処理するための第２プロセス（１０１ｂ、１０２ｂ、１０３ｂ）を選択するための検出器ユニット（１０９）を含み、第１プロセスおよび第２プロセス（１０１ａ〜１０３ａ、１０１ｂ〜１０３ｂ）がそれぞれ異なるプロセスであることを特徴とする、インターフェース装置（２〜４）。
【請求項８】
ネットワーク結合（１２〜１４）が予め定められた結合を含み、第１プロセス（１０２ａ）が非認証プロセスまたは第１認証プロセスを含み、第２プロセス（１０２ｂ）が第１認証プロセスと異なる第２認証プロセスを含むことを特徴とする、請求項７に記載のインターフェース装置（２〜４）。
【請求項９】
第１プロセス（１０３ａ）が非認証プロセスまたは第１暗号プロセスを含み、第２プロセス（１０３ｂ）が第１暗号プロセスと異なる第２暗号プロセスを含むことを特徴とする、請求項７または８に記載のインターフェース装置（２〜４）。
【請求項１０】
第１パケットおよび第２パケットがインターネットプロトコルパケットであり、ソースアドレスがインターネットプロトコルソースアドレスであり、宛先アドレスがインターネットプロトコル宛先アドレスであり、コードがポート番号であることを特徴とする、請求項７、８または９に記載のインターフェース装置（２〜４）。
【請求項１１】
インターフェース装置（２〜４）が、第１パケットおよび第２パケットを送信するためのパケット送信器ユニット（１２６）と、アップストリーム情報をネットワーク装置（１）に送信するための情報送信器ユニット（１２４）とを含み、該アップストリーム情報が端末装置（５〜１０）および／または端末結合（１５〜２０）および／またはコードおよび／または検出および／またはプロセス（１０１〜１０３）を定めることを特徴とする、請求項７、８、９または１０に記載のインターフェース装置（２〜４）。
【請求項１２】
インターフェース装置（２〜４）が、ネットワーク装置（１）からダウンストリーム情報を受信するための情報受信器ユニット（１２５）を含み、該ダウンストリーム情報が端末装置（５〜１０）および／または端末結合（１５〜２０）および／またはコードおよび／または検出および／またはプロセス（１０１〜１０３）を定めることを特徴とする、請求項７、８、９、１０または１１に記載のインターフェース装置（２〜４）。
【請求項１３】
請求項１から１２のいずれか一項に記載のユニット。
【請求項１４】
ネットワーク結合（１２〜１４）を介してネットワーク装置（１）とインターフェース装置（２〜４）の間で第１パケットおよび第２パケットを交換するための方法であり、第１パケットが第１ソースアドレスと第１宛先アドレスと第１コードとを含み、第２パケットが第２ソースアドレスと第２宛先アドレスと第２コードとを含み、第１コードおよび第２コードがそれぞれ異なるコードであり、インターフェース装置（２〜４）が、第１コードによって定められた第１端末結合（１５、１７、１９）を介して第１端末装置（５、７、９）に結合され、第２コードによって定められた第２端末結合（１６、１８、２０）を介して第２端末装置（６、８、１０）に結合される、方法であって、該方法が、第１コードおよび第２コードを検出するステップと、第１コードの検出に応答して、第１パケットを処理するための第１プロセス（１０１ａ、１０２ａ、１０３ａ）を選択するステップと、第２コードの検出に応答して、第２パケットを処理するための第２プロセス（１０２ａ、１０２ｂ、１０３ｂ）を選択するステップとを含み、第１プロセスおよび第２プロセス（１０１ａ〜１０３ａ、１０１ｂ〜１０３ｂ）がそれぞれ異なるプロセスであることを特徴とする、方法。
【請求項１５】
ネットワーク結合（１２〜１４）を介してネットワーク装置（１）とインターフェース装置（２〜４）の間で第１パケットおよび第２パケットを交換するためのコンピュータプログラム製品であって、第１パケットが第１ソースアドレスと第１宛先アドレスと第１コードとを含み、第２パケットが第２ソースアドレスと第２宛先アドレスと第２コードとを含み、第１コードおよび第２コードがそれぞれ異なるコードであり、インターフェース装置（２〜４）が、第１コードによって定められた第１端末結合（１５、１７、１９）を介して第１端末装置（５、７、９）に結合され、第２コードによって定められた第２端末結合（１６、１８、２０）を介して第２端末装置（６、８、１０）に結合される、コンピュータプログラム製品であって、該コンピュータプログラム製品が、第１コードおよび第２コードを検出する機能と、第１コードの検出に応答して、第１パケットを処理するための第１プロセス（１０１ａ、１０２ａ、１０３ａ）を選択する機能と、第２コードの検出に応答して、第２パケットを処理するための第２プロセス（１０１ｂ、１０２ｂ、１０３ｂ）を選択する機能とを含み、第１プロセスおよび第２プロセス（１０１ａ〜１０３ａ、１０１ｂ〜１０３ｂ）がそれぞれ異なるプロセスであることを特徴とする、コンピュータプログラム製品。
【請求項１６】
請求項１５に記載のコンピュータプログラム製品を記憶する、媒体。
【発明の詳細な説明】
【技術分野】
【０００１】
本発明は、ネットワーク結合を介してインターフェース装置から第１パケットおよび第２パケットを受信するためのネットワーク装置に関し、第１パケットは第１ソースアドレスと第１宛先アドレスと第１コードとを含み、第２パケットは第２ソースアドレスと第２宛先アドレスと第２コードとを含み、第１コードおよび第２コードはそれぞれ異なるコードであり、インターフェース装置は、第１コードによって定められた第１端末結合を介して第１端末装置に結合され、第２コードによって定められた第２端末結合を介して第２端末装置に結合される。
【背景技術】
【０００２】
そのようなネットワーク装置の例は、アクセスマルチプレクサ、スイッチ、ルータ、フォーワーダ、およびサーバである。そのようなインターフェース装置の例は、アクセスネットワーク内のモデム、レジデンシャルルータ、レジデンシャルゲートウェイ、および１つまたは複数のホップである。そのような端末装置の例は、パーソナルコンピュータ、有線電話および無線電話である。
【０００３】
従来技術のネットワーク装置は、普通一般に知られているものである。インターフェース装置は、第１端末装置から第１データを受信し、それに応答して、第１ソースアドレスと第１宛先アドレスと第１コードとを含む第１パケットをネットワーク装置に送信し、第２端末装置から第２データを受信し、それに応答して、第２ソースアドレスと第２宛先アドレスと第２コードとを含む第２パケットをネットワーク装置に送信する。第１パケットおよび第２パケットは同じインターフェース装置に由来するので、第１ソースアドレスおよび第２ソースアドレスは通常同一のソースアドレスである。ただし、インターフェース装置は２つの異なるソースアドレスを使用する許可を有する可能性があることを排除しない。第１パケットおよび第２パケットは通常それぞれ異なる宛先に向けられるので、第１宛先アドレスおよび第２宛先アドレスは通常それぞれ異なる宛先アドレスである。ただし、第１宛先アドレスおよび第２宛先アドレスは偶然の一致で同一の宛先アドレスである可能性があることを排除しない。
【０００４】
第１端末装置とインターフェース装置の間の第１結合を定める第１コードは、インターフェース装置によって第１パケットに付加され、第２端末装置とインターフェース装置の間の第２結合を定める第２コードは、インターフェース装置によって第２パケットに付加される。第１パケットおよび第２パケットそれぞれの中の第１コードおよび第２コードはそれぞれ、宛先で、第１戻りパケットおよび第２戻りパケットにコピーされ、インターフェース装置が、第１戻りパケットおよび第２戻りパケットそれぞれの第１戻りデータおよび第２戻りデータをそれぞれ第１端末装置および第２端末装置に転送することができるようにする。
【０００５】
知られているネットワーク装置は、とりわけ、異なる端末装置を使用している異なる加入者と、同じネットワーク結合を使用している全ての者とを区別することができない、かつ／または異なる端末装置を介して送出された異なるサービスと、同じネットワーク結合を使用している全ての者とを区別することができないので不利である。
【特許文献１】国際公開第０１／３１８４３号パンフレット
【発明の開示】
【発明が解決しようとする課題】
【０００６】
本発明の一目的は、とりわけ、プリアンブルで定められているように、異なる端末装置を使用している異なる加入者と、同じネットワーク結合を使用している全ての者とを区別することができ、かつ／または異なる端末装置を介して送出された異なるサービスと、同じネットワーク結合を使用している全ての者とを区別することができ、かつ／または異なる端末装置を使用している異なるカテゴリの加入者と、同じネットワーク結合を使用している全ての者とを区別できるネットワーク装置を提供することである。
【課題を解決するための手段】
【０００７】
本発明によるネットワーク装置は、ネットワーク装置が、第１コードおよび第２コードを検出し、第１コードの検出に応答して、第１パケットを処理するために第１プロセスを選択し、第２コードの検出に応答して、第２パケットを処理するために第２プロセスを選択するための検出器ユニットを含み、第１プロセスおよび第２プロセスはそれぞれ異なるプロセスであることを特徴とする。
【０００８】
従来技術によれば、第１コードおよび第２コードはインターフェース装置内で意味を持つだけである。インターフェース装置は、第１コードおよび第２コードを発生し、第１コードおよび第２コードを第１パケットおよび第２パケットに付加してきた。宛先で、第１コードおよび第２コードは第１戻りパケットおよび第２戻りパケットにコピーされて付加され、第１戻りパケットおよび第２戻りパケット内のこれらのコピーされた第１コードおよび第２コードは、どの端末装置に戻りパケットの戻りデータが転送されるべきかをインターフェース装置に指示する。
【０００９】
本発明によれば、第１コードおよび第２コードはネットワーク装置内でさらに別の意味を与えられる。本発明によるネットワーク装置は、検出器ユニットをネットワーク装置に導入することによって、第１コードおよび第２コードを検出し、異なる検出に応答して、異なるパケットを処理するために異なるプロセスを選択する機能を持つ。その結果、本発明によるネットワーク装置は、異なる端末装置を使用している異なる加入者と、同じネットワーク結合を使用している全ての者とを区別することができ、かつ／または異なる端末装置を介して送出された異なるサービスと、同じネットワーク結合を使用している全ての者とを区別することができ、かつ／または異なる端末装置を使用している異なるカテゴリの加入者と、同じネットワーク結合を使用している全ての者とを区別することができる。
【００１０】
異なるプロセスは、たとえば、ネットワーク環境のために使用されるソースアドレスまたは宛先アドレス（だけ）に基づかないが、端末環境内のインターフェース装置と端末装置の結合を定めるコードに（も）現在基づいている異なるルーティングの少なくとも１つを有するネットワーク環境内の異なるルーティングを含んでよい。
【００１１】
ネットワーク装置がネットワーク結合を介してインターフェース装置から第１パケットおよび第２パケットを受信し、第１パケットおよび第２パケットは第１ソースアドレスおよび第２ソースアドレスと、第１宛先アドレスおよび第２宛先アドレスと、第１コードおよび第２コードとを含むことは、ネットワーク装置が２つ以上の第１パケットと、２つ以上の第２パケットと、それぞれが第３ソースアドレスと第３宛先アドレスと第３コードなどを含む１つまたは複数の第３パケットと、１つまたは複数のコードを含まない１つまたは複数のパケットとを受信することもある可能性を排除しない。
【００１２】
本発明によるネットワーク装置は、とりわけ、加入者が位置依存なしに普遍的に個人的に取り扱われることができるようにする点と、諸サービスが位置依存なしに普遍的に個人的に加入者に送出されることができるようにする点でさらに有利である。
【００１３】
本発明によるネットワーク装置の一実施形態は、ネットワーク結合は予め定められた結合を含み、第１プロセスは非認証プロセスまたは第１認証プロセスを含み、第２プロセスは第１認証プロセスと異なる第２認証プロセスを含むことを特徴とする。
【００１４】
ネットワーク結合が、統合サービスのデジタルネットワーク電話回線またはデジタル加入者回線などの予め定められた結合を含む場合は、少なくとも１人の加入者および／または少なくとも１つのサービスが既に認証されている。したがって、第１プロセスは、非認証プロセスまたは第１（たとえば簡単な）認証プロセスを含んでよく、第２プロセスは、第１認証プロセスと異なる第２（たとえば複雑な）認証プロセスを含んでよく、その結果、たとえば、第１パケットは請求書を標準的な加入者に送ることによって標準的に課金され、第２パケットは非標準的で異なる加入者に請求書を送ることによって非標準的に課金される。
【００１５】
本発明によるネットワーク装置の一実施形態は、第１プロセスは非暗号プロセスまたは第１暗号プロセスを含み、第２プロセスは第１暗号プロセスと異なる第２暗号プロセスを含むことを特徴とする。
【００１６】
第１プロセスが（非暗号ベースの保護プロセスなどの）非暗号プロセス、あるいは（第１通信および／または第１認証を保護する第１暗号ベースの保護プロセスなどの）第１暗号プロセスを含み、第２プロセスが第１暗号プロセスと異なる（第２通信および／または第２認証を保護する第２暗号ベースの保護プロセスなどの）第２暗号プロセスを含む場合は、第１パケットは標準チャネルを介してコアネットワークに転送されてよく、第２パケットは非標準的で安全なチャネルを介してコアネットワークに転送されてよい。
【００１７】
本発明によるネットワーク装置の一実施形態は、第１パケットおよび第２パケットはインターネットプロトコルパケットであり、ソースアドレスはインターネットプロトコルソースアドレスであり、宛先アドレスはインターネットプロトコル宛先アドレスであり、コードはポート番号であることを特徴とする。
【００１８】
ポート番号は、ソースポート番号を含んでよく、かつ／または宛先ポート番号を含んでよい。
【００１９】
本発明によるネットワーク装置の一実施形態は、ネットワーク装置が第１パケットおよび第２パケットを受信するパケット受信器ユニットと、インターフェース装置からアップストリーム情報を受信するための情報受信器ユニットとを含み、該アップストリーム情報は端末装置および／または端末結合および／またはコードおよび／または検出および／またはプロセスを定めることを特徴とする。
【００２０】
インターフェース装置に由来するこのアップストリーム情報は、ネットワーク装置がインタラクティブに調整されることができるようにする。
【００２１】
本発明によるネットワーク装置の一実施形態は、ネットワーク装置がインターフェース装置にダウンストリーム情報を送信する情報送信器ユニットを含み、該ダウンストリーム情報は端末装置および／または端末結合および／またはコードおよび／または検出および／またはプロセスを定めることを特徴とする。
【００２２】
ネットワーク装置に由来するこのダウンストリーム情報は、インターフェース装置がインタラクティブに調整されることができるようにする。
【００２３】
本発明はまた、ネットワーク結合を介してネットワーク装置に第１パケットおよび第２パケットを送信するためのインターフェース装置であって、第１パケットは第１ソースアドレスと第１宛先アドレスと第１コードとを含み、第２パケットは第２ソースアドレスと第２宛先アドレスと第２コードとを含み、第１コードおよび第２コードはそれぞれ異なるコードであり、インターフェース装置は第１コードによって定められた第１端末結合を介して第１端末装置に結合され、第２コードによって定められた第２端末結合を介して第２端末装置に結合される、インターフェース装置にも関する。
【００２４】
本発明によるインターフェース装置は、ネットワーク装置が、第１コードおよび第２コードを検出し、第１コードの検出に応答して、第１パケットを処理するための第１プロセスを選択し、第２コードの検出に応答して、第２パケットを処理するための第２プロセスを選択する検出器ユニットを含み、第１プロセスおよび第２プロセスはそれぞれ異なるプロセスであることを特徴とする。
【００２５】
本発明によるインターフェース装置の一実施形態は、ネットワーク結合は予め定められた結合を含み、第１プロセスは非認証プロセスまたは第１認証プロセスを含み、第２プロセスは第１認証プロセスと異なる第２認証プロセスを含むことを特徴とする。
【００２６】
本発明によるインターフェース装置の一実施形態は、第１プロセスは非暗号プロセスまたは第１暗号プロセスを含み、第２プロセスは第１暗号プロセスと異なる第２暗号プロセスを含むことを特徴とする。
【００２７】
本発明によるインターフェース装置の一実施形態は、第１パケットおよび第２パケットはインターネットプロトコルパケットであり、ソースアドレスはインターネットプロトコルソースアドレスであり、宛先アドレスはインターネットプロトコル宛先アドレスであり、コードはポート番号であることを特徴とする。
【００２８】
本発明によるインターフェース装置の一実施形態は、インターフェース装置が、第１パケットおよび第２パケットを送信するためのパケット送信器ユニットと、アップストリーム情報をネットワーク装置に送信するための情報送信器ユニットとを含み、該アップストリーム情報は端末装置および／または端末結合および／またはコードおよび／または検出および／またはプロセスを定めることを特徴とする。
【００２９】
本発明によるインターフェース装置の一実施形態は、インターフェース装置がネットワーク装置からダウンストリーム情報を受信するための情報受信器ユニットを含み、該ダウンストリーム情報は端末装置および／または端末結合および／またはコードおよび／または検出および／またはプロセスを定めることを特徴とする。
【００３０】
本発明はまた、ネットワーク装置のいずれか１つで定められたユニットおよび上記で定められたインターフェース装置にも関する。
【００３１】
本発明はまた、第１パケットおよび第２パケットを、ネットワーク結合を介して、ネットワーク装置とインターフェース装置との間で交換するための方法にも関し、第１パケットは第１ソースアドレスと第１宛先アドレスと第１コードとを含み、第２パケットは第２ソースアドレスと第２宛先アドレスと第２コードとを含み、第１コードおよび第２コードはそれぞれ異なるコードであり、インターフェース装置は、第１コードによって定められた第１端末結合を介して第１端末装置に結合され、第２コードによって定められた第２端末結合を介して第２端末装置に結合され、本発明による方法は、方法が、第１コードおよび第２コードを検出するステップと、第１コードの検出に応答して、第１パケットを処理する第１プロセスを選択するステップと、第２コードの検出に応じて、第２パケットを処理する第２プロセスを選択するステップとを含み、第１プロセスおよび第２プロセスはそれぞれ異なるプロセスであることを特徴とする。
【００３２】
本発明はまた、ネットワーク結合を介して第１パケットおよび第２パケットをネットワーク装置とインターフェース装置の間で交換するためのコンピュータプログラム製品にも関し、第１パケットは第１ソースアドレスと第１宛先アドレスと第１コードとを含み、第２パケットは第２ソースアドレスと第２宛先アドレスと第２コードとを含み、第１コードおよび第２コードはそれぞれ異なるコードであり、インターフェース装置は、第１コードによって定められた第１端末結合を介して第１端末装置に結合され、第２コードによって定められた第２端末結合を介して第２端末装置に結合され、本発明によるコンピュータプログラム製品は、コンピュータプログラム製品が、第１コードおよび第２コードを検出する機能と、第１コードの検出に応答して、第１パケットを処理する第１プロセスを選択する機能と、第２コードの検出に応答して、第２パケットを処理する第２プロセスを選択する機能とを含み、第１プロセスおよび第２プロセスはそれぞれ異なるプロセスであることを特徴とする。
【００３３】
本発明はまた、上記で定められたコンピュータプログラム製品を記憶する媒体にも関する。
【００３４】
本発明によるユニットの実施形態と、本発明による方法の実施形態と、本発明によるコンピュータプログラム製品の実施形態と、本発明による媒体の実施形態とは、本発明によるネットワーク装置の実施形態と、本発明によるインターフェース装置の実施形態とに対応する。
【００３５】
本発明は、とりわけ、従来技術のネットワーク装置はパケットを処理するためにソースアドレスおよび宛先アドレスを使用するという理解に基づき、とりわけ、ソースアドレスおよび宛先アドレスと異なるコードもパケットを処理するために使用されてよいという基本的な考えに基づく。
【００３６】
本発明は、とりわけ、異なる端末装置を使用している異なる加入者と、同じネットワーク結合を使用している全ての者とを区別することができ、かつ／または異なる端末装置を介して送出される異なるサービスと、同じネットワーク結合を使用している全ての者とを区別することができ、かつ／または異なる端末装置を使用している異なるカテゴリの加入者と、同じネットワーク結合を使用している全ての者とを区別することができる、プリアンブルで定められたようなネットワーク装置を提供するための問題を解決する。本発明によるネットワーク装置は、とりわけ、加入者が、位置依存でなく、普遍的に個人的に取り扱われることができるようにする点と、サービスが、位置依存でなく、普遍的に個人的に加入者に送出されることができるようにする点でさらに有利である。
【００３７】
本発明のこれらおよび他の態様は、以下で説明される１つまたは複数の実施形態から明らかになり、それらを参照しながら明らかにされる。
【発明を実施するための最良の形態】
【００３８】
図１に示された本発明によるネットワーク装置１は、コアネットワーク結合１１を介して、示されていないコアネットワークに結合され、また、３つのネットワーク結合１２〜１４を介して本発明による３つのインターフェース装置２〜４に結合される。各インターフェース装置２（３、４）は、２つの端末結合１５、１６（１７、１８、１９、２０）を介してさらに２つの端末装置５、６（７、８、９、１０）に結合される。インターフェース装置および端末装置の他の番号は排除されない。
【００３９】
図２でさらに詳細に示されている本発明によるネットワーク装置１は、第１プロセス１０１ａ、１０２ａ、１０３ａおよび第２プロセス１０１ｂ、１０２ｂ、１０３ｂを実行するためのコントローラであって、プロセッサ１０４およびメモリ１０５を含むコントローラ１００を含む。コントローラ１００はカプラ１０６に結合され、カプラ１０６はコアネットワーク結合１１を介して、示されていないコアネットワークと、認証ユニット１０７と、暗号／復号ユニット１０８と、検出器ユニット１０９を介してパケット受信器ユニット１１２と、パケット送信器１１３とに結合される。認証ユニット１０７と暗号／復号ユニット１０８と検出器ユニット１０９は、さらにコントローラ１００に結合される。パケット受信器ユニット１１２およびパケット送信器ユニット１１３は、さらに結合インターフェース１１４を介してネットワーク結合１２に結合され、結合インターフェース１１４は、さらにコントローラ１００と情報受信器ユニット１１０と情報送信器ユニット１１１に結合され、情報受信器ユニット１１０および情報送信器ユニット１１１は両方ともさらにコントローラ１００に結合される。
【００４０】
図３にさらに詳しく示されている本発明によるインターフェース装置２は、プロセッサ１２１およびメモリ１２２を含むコントローラ１２０を含む。コントローラ１２０は結合インターフェース１２３に結合され、結合インターフェース１２３はネットワーク結合１２と情報送信器１２４と情報受信器１２５とに結合され、情報送信器１２４および情報受信器１２５は両方ともさらにコントローラ１２０に結合される。結合インターフェース１２３はさらにパケット送信器１２６およびパケット受信器１２７に結合され、パケット送信器１２６およびパケット受信器１２７は両方ともさらに（デ）マルチプレクサ１２８に結合される。（デ）マルチプレクサ１２８は、コントローラ１２０と、端末結合１５に結合された第１装置インターフェース１２９と、端末結合１６に結合された第２装置インターフェース１３０とにさらに結合される。
【００４１】
インターフェース装置２は、端末結合１５を介して第１端末装置５から第１データを受信し、それに応答して、そのパケット送信器１２６を介して、第１ソースアドレスと第１宛先アドレスと第１コードとを含む第１パケットをネットワーク装置１に送信し、端末結合１６を介して第２端末装置６から第２データを受信し、それに応答して、そのパケット送信器１２６を介して、第２ソースアドレスと第２宛先アドレスと第２コードとを含む第２パケットをネットワーク装置１に送信する。第１パケットおよび第２パケットは同じインターフェース装置２に由来するので、第１ソースアドレスおよび第２ソースアドレスは通常同一のソースアドレスである。ただし、インターフェース装置２が２つの異なるソースアドレスを使用する許可を有する可能性があることを排除しない。第１パケットおよび第２パケットは通常それぞれ異なる宛先に向けられるので、第１宛先アドレスおよび第２宛先アドレスは、通常それぞれ異なる宛先アドレスである。ただし、第１宛先アドレスおよび第２宛先アドレスが偶然の一致で同一の宛先アドレスである可能性があることを排除しない。
【００４２】
第１端末装置５とインターフェース装置２の間の第１端末結合１５を定める第１コードがインターフェース装置２によって第１パケットに付加され、第２端末装置６とインターフェース装置２の間の第２端末結合１６を定める第２コードがインターフェース装置２によって第２パケットに付加される。第１パケットおよび第２パケットそれぞれの中の第１コードおよび第２コードはそれぞれ、宛先で、第１戻りパケットおよび第２戻りパケットそれぞれの中にコピーされて、インターフェース装置２が第１戻りパケットおよび第２戻りパケットそれぞれの第１戻りデータおよび第２戻りデータをそれぞれ第１端末装置および第２端末装置５および６それぞれに転送することができるようにする。
【００４３】
従来技術の場合には、ネットワーク装置１は、異なる端末装置５および６を使用している異なる加入者と、同じネットワーク結合１２を使用している全ての者とを区別することができず、かつ／または異なる端末装置５および６を介して送出された異なるサービスと、同じネットワーク結合１２を使用している全ての者とを区別することができず、かつ／または異なる端末装置５および６を使用している異なるカテゴリの加入者と、同じネットワーク結合１２を使用している全ての者とを区別することができない。
【００４４】
本発明によれば、ネットワーク装置１は、第１コードおよび第２コードを検出し、第１コードの検出に応答して、第１パケットを処理する第１プロセス１０１ａ、１０２ａ、１０３ａを選択し、第２コードの検出に応答して、第２パケットを処理する第２プロセス１０１ｂ、１０２ｂ、１０３ｂを選択するための検出器ユニット１０９であって、第１プロセスおよび第２プロセス１０１ａ〜１０３ａ、１０１ｂ〜１０３ｂはそれぞれ異なるプロセスである検出器ユニット１０９を備える。
【００４５】
従来技術の場合には、第１コードおよび第２コードはインターフェース装置２に意味を持つだけであった。インターフェース装置２は第１コードおよび第２コードを発生し、第１コードおよび第２コードを第１パケットおよび第２パケットに付加してきた。宛先で、第１コードおよび第２コードは、第１戻りパケットおよび第２戻りパケットにコピーされて付加され、第１戻りパケットおよび第２戻りパケット内のこれらのコピーされた第１コードおよび第２コードは、インターフェース装置２に、端末装置５または６のどちらに戻りパケットの戻りデータが転送されるべきかを指示する。
【００４６】
本発明によれば、第１コードおよび第２コードは、ネットワーク装置１でさらに別の意味を与えられる。本発明によるネットワーク装置１は、検出器ユニット１０９をネットワーク装置１に導入することによって、第１コードおよび第２コードを検出し、異なる検出に応答して、異なるパケットを処理する異なるプロセス１０１ａ〜１０３ａ、１０１ｂ〜１０３ｂを選択する機能を持つ。その結果、本発明によるネットワーク装置１は、異なる端末装置５および６を使用している異なる加入者と、同じネットワーク結合１２を使用している全ての者とを区別することができ、かつ／または異なる端末装置５および６を介して送出された異なるサービスと、同じネットワーク結合１２を使用している全ての者とを区別することができ、かつ／または異なる端末装置５および６を使用している異なるカテゴリの加入者と、同じネットワーク結合１２を使用している全ての者とを区別することができる。
【００４７】
異なるプロセス１０１ａおよび１０１ｂは、たとえば、プロセッサ１０４を介して実行され、たとえば、ネットワーク環境のために使用されるソースアドレスまたは宛先アドレス（だけ）には基づかないが、端末環境内のインターフェース装置２と端末装置５または６との間の結合１５または１６を定めるコードに（も）現在基づいている異なるルーティングの少なくとも１つを有するネットワーク環境内の異なるルーティングを含んでよい。また、コントローラ１００は、検出器ユニット１０９を介して、第１コードの第１検出および第２コードの第２検出について通知され、それに応答してカプラ１０６を制御し、第１検出に応答して第１ルートを選択し、第２検出に応答して第２ルートを選択し、それによって、たとえば、これらの第１ルートおよび第２ルートの一方は、ソースアドレスおよび／または宛先アドレスにだけ依存し、これらの第１ルートおよび第２ルートの他方は検出されたコードにも依存するかあるいはこの検出されたコードにだけ依存する。その結果、異なる端末装置５および６の異なるユーザは、たとえば、たとえこれらの異なるユーザが同じインターフェース装置および同じネットワーク装置を介してそのアクセスを有していても、異なるインターネットサービスプロバイダに導かれることができる。もちろん、これは同じゴールに到達する他のソリューションを排除しない。
【００４８】
言い換えれば、宛先、ネットワーク装置１、インターフェース装置２ならびに端末装置５および６を含むシステム内では、パケットはインターフェース装置２およびネットワーク装置１を介して端末装置５および６から宛先に交換され、戻りパケットはネットワーク装置１およびインターフェース装置２を介して宛先から端末装置５および６に交換される。これらのパケットは、インターフェース装置２と端末装置５および６の間の結合を定めるコードを含み、これらのコードは、インターフェース装置２と宛先の間で使用され、インターフェース装置２と宛先の間のネットワークが、異なる端末装置５および６を使用している異なる加入者と、同じネットワーク結合１２を使用している全ての者とを区別し、かつ／または異なる端末装置５および６を介して送出された異なるサービスと、同じネットワーク結合１２を使用している全ての者とを区別することができるようにする。
【００４９】
ネットワーク結合１２は、たとえば、統合サービスデジタルネットワーク電話回線またはデジタル加入者回線などの予め定められた結合を含み、この場合、少なくとも１人の加入者および／または少なくとも１つのサービスが既に認証されている。したがって、第１プロセス１０２ａは、（多重化プロセス、またはスイッチングプロセス、またはルーティングプロセス、または転送プロセス、またはサービスプロセスなどの）非認証プロセス、または第１（たとえば簡単な）認証プロセスを含んでよく、第２プロセス１０２ｂは、第１認証プロセスと異なる第２（たとえば複雑な）認証プロセスを含んでよく、たとえば、第１パケットは、請求書を標準的な加入者に送ることにより標準的なやり方で課金され、第２パケットは、請求書を非標準的で異なる加入者に送ることにより非標準的なやり方で課金される。異なるプロセス１０２ａおよび１０２ｂは、たとえばプロセッサ１０４を介して実行される。第１プロセスおよび第２プロセス１０２ａおよび１０２ｂの一方は、アクティブにされるために、かつ／またはパケットによって辿られるべきルートの一部分を形成するために、かつ／または要求パケットを発生して応答パケットを待つために、たとえば認証ユニット１０７を必要とし、第１プロセスおよび第２プロセス１０２ａおよび１０２ｂの他方は、非アクティブにされるために、かつ／またはパケットにより辿られるべきルートの一部分を形成しないように、たとえば認証ユニット１０７を必要とする。
【００５０】
第１プロセス１０３ａは、たとえば、（多重化プロセス、またはスイッチングプロセス、またはルーティングプロセス、または転送プロセス、またはサービスプロセスなどの）非暗号プロセス、あるいは、第１暗号プロセスを含み、第２プロセスは、たとえば、第１暗号プロセスと異なる第２暗号プロセスを含む。したがって、第１パケットは標準的チャネルを介してコアネットワークに転送されることができ、第２パケットは非標準的で安全なチャネルを介してコアネットワークに転送されることができる。異なるプロセス１０３ａおよび１０３ｂは、たとえば、プロセッサ１０４を介して実行される。第１プロセスおよび第２プロセス１０３ａおよび１０３ｂの一方は、アクティブにされるために、かつ／またはパケットによって辿られるべきルートの一部分を形成するために、たとえば暗号／復号ユニット１０８を必要とし、第１プロセスおよび第２プロセス１０３ａおよび１０３ｂの他方は、非アクティブにされるために、かつ／またはパケットによって辿られるべきルートの一部分を形成しないように、たとえば暗号／復号ユニット１０８を必要とする。
【００５１】
第１パケットおよび第２パケットはインターネットプロトコルパケットでよく、ソースアドレスはインターネットプロトコルソースアドレスでよく、宛先アドレスはインターネットプロトコル宛先アドレスでよく、コードはソースポート番号および／または宛先ポート番号などのポート番号でよい。
【００５２】
パケット受信器ユニット１１２は第１パケットおよび第２パケットを受信し、情報受信器ユニット１１０はインターフェース装置２からアップストリーム情報を受信し、該アップストリーム情報は端末装置５と６、および／または端末結合１５と１６、および／またはコード、および／または検出、および／またはプロセス１０１ａ〜１０３ａと１０１ｂ〜１０３ｂを定める。インターフェース装置２に由来するこのアップストリーム情報は、ネットワーク装置１がこのアップストリーム情報に応答してインタラクティブに調整されることができるようにする。パケット送信器ユニット１２６は、第１パケットおよび第２パケットを送信し、情報送信器ユニット１２４は、アップストリーム情報をネットワーク装置１に送信する。
【００５３】
情報送信器ユニット１１１はダウンストリーム情報をインターフェース装置２に送信し、該ダウンストリーム情報は端末装置５と６、および／または端末結合１５と１６、および／またはコード、および／または検出、および／またはプロセス１０１ａ〜１０３ａと１０１ｂ〜１０３ｂを定める。ネットワーク装置１に由来するこのダウンストリーム情報は、インターフェース装置２がこのダウンストリーム情報に応答してインタラクティブに調整されることができるようにする。情報受信ユニット１２５は、ネットワーク装置１からダウンストリーム情報を受信する。
【００５４】
パケット送信器ユニット１１３は戻り第１パケットおよび第２パケットをインターフェース装置２に送信し、該戻り第１パケットおよび第２パケットはコアネットワーク結合１１を介してネットワーク装置１に結合された宛先に由来する。パケット受信器ユニット１２７はこれらの戻り第１パケットおよび第２パケットを受信する。
【００５５】
パケット送信器ユニット１２６はまた、第１端末装置５に由来する第１データを第１パケットに変換し、また、第２端末装置６に由来する第２データを第２パケットに変換する。さらに、コントローラ１２０は、たとえば、（デ）マルチプレクサ１２８を介して、あるいはコントローラ１２０とパケット送信器ユニット１２６の間の示されていない接続を介して直接、ソースアドレスと宛先アドレスとコードとを供給する。パケット受信器ユニット１２７はまた、戻り第１パケットから戻り第１データを抽出し、また、戻り第２パケットから戻り第２データを抽出し、該第１戻りデータは第１端末装置５に供給され、該第２戻りデータは第２端末装置６に供給される。さらに、コントローラ１２０は、戻りデータ内のコードを通知された後で、たとえば（デ）マルチプレクサ１２８を介して、あるいはコントローラ１２０とパケット受信器ユニット１２７の示されていない接続を介して直接、（デ）マルチプレクサ１２８を制御する。
【００５６】
インターフェース装置２からネットワーク装置１へのアップストリーム情報の交換は、ユーザによって開始されてもよく、あるいは、たとえば、端末装置５または６の種類の検出、あるいは装置結合１５または１６の種類の検出、あるいはインターフェース装置２によって使用されるコードの検出に応答して、自動的にインターフェース装置２によって開始されてもよい。アップストリーム情報は、たとえば、ネットワーク装置１によって実行されるべき検出の種類および／または実行されるべきプロセス（の間の関係）を定めることができる。たとえば、有線方式でインターフェース装置２に結合された有線電話の場合、どんな（別の）認証も必要がなく、無線方式でインターフェース装置２に結合された無線電話の場合、別の認証が行われる必要があり得る。これを考えると、端末装置または装置結合を特定のコード範囲に自動的に割り当てるように、コード範囲を定めインターフェース装置２をプログラムすることが有利であり得る。アップストリーム情報は、パケットの形でもよく、パケットの一部分を形成してもよく、パケットとは別に交換されてもよい。
【００５７】
ネットワーク装置１からインターフェース装置２へのダウンストリーム情報の交換は、オペレータによって開始されてもよく、たとえば、考慮されるべきルールの受信に応答して、自動的にネットワーク装置１によって開始されてもよい。これらのルールは、プロバイダに由来してもよく、ユーザに由来してもよく、政府機関に由来してもよい。ダウンストリーム情報は、たとえば、端末装置５または６の種類、および／または装置結合１５または１６の種類、および／またはインターフェース装置２によって使用される（べき）コードの間の１つまたは複数の関係を定めることができ、インターフェース装置２に、ネットワーク装置１によって実行される検出の種類、および／または実行されるプロセスを通知することができる。たとえば、有線方式でインターフェース装置２に結合された有線電話は、どんな（別の）認証も必要がないことを伝えるコードを得る可能性があり、無線方式でインターフェース装置２に結合された無線電話は、別の認証が行われる必要があることを伝えるコードを得る可能性がある。これを考えると、端末装置５または６あるいは装置結合１５または１６を特定のコード範囲に自動的に割り当てるように、コード範囲を定め、ダウンストリーム情報を有するインターフェース装置２をプログラムすることが有利であろう。ダウンストリーム情報は、パケットの形でもよく、パケットの一部分を形成してもよく、パケットとは別に交換されてもよい。
【００５８】
図１〜３では、各結合／接続は有線結合／接続でも無線結合／接続でもよい。予め定められた結合は、少なくとも１人の加入者がその結合に識別され検証されている結合である。示されているどのユニット／ブロックも、サブユニット／サブブロックに分割されてよく、どの２つまたは３つ以上のユニット／ブロックも１つの新しくより大きなユニット／ブロックに統合されてよい。示されたどのユニット／ブロックもハードウェアおよび／またはソフトウェアを含んでよい。本発明によるコンピュータプログラム製品は、メモリ１０５および／または１２２などの固定された媒体に、あるいは示されていない取外し可能な媒体に記憶されてよく、かつ／またはそれらの媒体を含んでよい。たとえば、「受信するための」、「検出するための」、「処理するための」などの「ための」という表現は、他の機能も同時にあるいは同時でなく実行されることを排除しない。「Ｙに結合されたＸ」および「ＸとＹの結合」および「ＸとＹを結合している／する」などの表現は、要素ＺがＸとＹの間にあることを排除しない。「ＰはＱを含む」および「Ｑを含んでいるＰ」などの表現は、要素Ｒも含まれている／備えられていることを排除しない。用語「ａ」および「ａｎ」（英語の不定冠詞）は１つまたは複数の物が存在する可能性を排除しない。
【００５９】
検出および選択するステップおよび／または機能は、たとえば、とりわけ、図などのために記載されたステップおよび／または機能など、別のステップおよび／または機能を排除しない。
【図面の簡単な説明】
【００６０】
【図１】それぞれ２つの端末装置に結合された本発明による３つのインターフェース装置に結合された本発明によるネットワーク装置を示す図である。
【図２】本発明によるネットワーク装置をさらに詳細に示す図である。
【図３】本発明によるインターフェース装置をさらに詳細に示す図である。
【符号の説明】
【００６１】
１  ネットワーク装置
２、３、４  インターフェース装置
１１  コアネットワーク結合
１２、１３、１４  ネットワーク結合
１５、１６、１７、１８、１９、２０  端末結合
１００、１２０  コントローラ
１０１ａ、１０２ａ、１０３ａ  第１プロセス
１０１ｂ、１０２ｂ、１０３ｂ  第２プロセス
１０４、１２１  プロセッサ
１０５、１２２  メモリ
１０６  カプラ
１０７  認証ユニット
１０８  暗号／復号ユニット
１０９  検出器ユニット
１１０  情報受信器ユニット
１１１  情報送信器ユニット
１１２  パケット受信器ユニット
１１３  パケット送信器ユニット
１１４、１２３  結合インターフェース
１２４  情報送信器
１２５  情報受信器
１２６  パケット送信器
１２７  パケット受信器
１２８  （デ）マルチプレクサ
１２９  第１装置インターフェース
１３０  第２装置インターフェース
【図１】
2007060656.tif 000003
【図２】
2007060656.tif 000004
【図３】
2007060656.tif 000005
【外国語明細書】
2007060656.tif 000006
2007060656.tif 000007
2007060656.tif 000008
2007060656.tif 000009
2007060656.tif 000010
2007060656.tif 000011
2007060656.tif 000012
2007060656.tif 000013
2007060656.tif 000014
2007060656.tif 000015
2007060656.tif 000016
2007060656.tif 000017
2007060656.tif 000018
2007060656.tif 000019
2007060656.tif 000020
2007060656.tif 000021
2007060656.tif 000022
2007060656.tif 000023
2007060656.tif 000024
2007060656.tif 000025
2007060656.tif 000026
2007060656.tif 000027
2007060656.tif 000028
2007060656.tif 000029
2007060656.tif 000030
2007060656.tif 000031
2007060656.tif 000032
2007060656.tif 000033